(57)【要約】【課題】  その目的は、本設の配管を設置するまでの間、ドレン金物からの排水を仮設足場の外側に排水するスラブ排水口用仮設排水装置における排水受具において、スペーサーとドレン金物のサイズの組み合わせに兼用可能な排水受具を提供することにある。【解決手段】  スラブ排水口に埋設するドレン金物の排水筒を外嵌する排水受具と、その排水受具を前記ドレン金物に固定する固定金具とからなる排水具本体と、その排水具本体に着脱自在になる可撓性ホース部とからなる排水口用仮設排水装置において、前記排水受具の受具上筒の外周を周長方向に波形に形成したことを特徴とする。【選択図】図１
2018059383.tif 000002
【特許請求の範囲】
【請求項１】
スラブ排水口に埋設するドレン金物の排水筒を外嵌する排水受具と、その排水受具を前記ドレン金物に固定する固定金具とからなる排水具本体と、その排水具本体に着脱自在になる可撓性ホース部とからなる排水口用仮設排水装置において、前記排水受具の受具上筒の外周を周長方向に波形に形成したことを特徴とする排水口用仮設排水装置における排水受具。
【発明の詳細な説明】
【技術分野】
【０００１】  この発明は、配管工事におけるスラブ、特にバルコニーの排水口に埋設するドレン金物に本設の配管を設置するまでの期間において、雨天時でも階下のバルコニーの下面やサッシ回りの外壁等のモルタル仕上げ作業ができるように、建設中の最上階のバルコニーに降り込む雨水やコンクリート打設時に発生する余剰水等が、排水口に埋設したドレン金物をつたって階下のバルコニーに流れ落ちることなく、仮設足場の外側に排水させるためのスラブ排水口用仮設排水装置における排水受具に関する。
【背景技術】
【０００２】  従来、この種、建設中の最上階のバルコニーに降り込む雨水や余剰水等がドレン金物をつたって階下のバルコニーに流れ落ちないようにするものとして、スラブ排水口に埋設するドレン金物の排水筒を外嵌する排水受具と、その排水受具の内壁に取付ける支持腕、及び、高さ調整用の締付けネジを設けた固定金具と、その固定金具に対して上下に摺動自在となり、該締付けネジの締付けにより適宜位置に固定されると共に、上端にドレン金物の排水受けツバに掛止する回動自在の掛止片を設けた支持杆とからなる排水具本体と、その排水具本体に着脱自在になる可撓性ホース部とからなることを特徴とする排水口用仮設排水装置が開示され、前記排水受具はドレン金物の排水筒を外嵌する受具上筒と前記可撓性ホース部を接続する受具下筒とからなるジョウゴ状の形態であった。（特許第３３２５４８４号）【０００３】  一般的にドレン金物をスラブの所定位置、高さに設置するためには、塩ビ製パイプを所定の長さに切断したスペーサーをドレン金物の排水受けツバ下面に該スペーサーの上端面が当接し、排水筒を外嵌するように載置した状態で固定し、コンクリートを打設して埋設しているが、上記従来の排水口用仮設排水装置における排水受具では、図６に示すように、受具上筒の内径はドレン金物の排水筒の外径より大きく、外径はスペーサーの内径より小さくした形態としているが、このような形態であれば、ドレン金物及びスペーサーのサイズによって、サイズごとに、あるいは、サイズの兼用幅が小さいものとなり、需要者が使用するドレン金物及びスペーサーのサイズの組み合わせによっては適合する排水受具がない場合があるなどの問題点があった。【０００４】  また、既製の排水受具の外径よりスペーサーの内径が小さく、スペーサー内に排水受具が挿入できない場合、受具上筒にカッター等で切り込みを入れ、重ねるようにして外径を小さくすることでスペーサー内に挿入して現場対応していた。
しかし、切り込みを入れることによって排水時に水が切り込み箇所から漏れ出る可能性、及び強度の低下、並びに排水受具の転用率の低下に繋がるといった問題点も生じていた。【０００５】  スペーサーとドレン金物のサイズの組み合わせはドレン金物製造者により数多く存在し、排水受具をそれぞれ用意することは、管理の煩雑さや経済性において不利である。そのため、１つのサイズの排水受具で広く兼用可能なものが望まれていた。
【先行技術文献】
【特許文献】
【０００６】
【特許文献１】特許第３３２５４８４号
【発明の概要】
【発明が解決しようとする課題】
【０００７】  この発明は上記従来の課題に鑑みなされたもので、その目的は、本設の配管を設置するまでの間、ドレン金物からの排水を仮設足場の外側に排水するスラブ排水口用仮設排水装置における排水受具において、スペーサーとドレン金物のサイズの組み合わせに兼用可能な排水受具を提供することにある。
【課題を解決するための手段】
【０００８】  その手段として、本発明の請求項１は、スラブ排水口に埋設するドレン金物の排水筒を外嵌する排水受具と、その排水受具を前記ドレン金物に固定する固定金具とからなる排水具本体と、その排水具本体に着脱自在になる可撓性ホース部とからなる排水口用仮設排水装置において、前記排水受具の受具上筒の外周を周長方向に波形に形成したことを特徴とする。
【発明の効果】
【０００９】  本発明の排水受具によれば、受具上筒の外周を周長方向に波形に形成したため、排水受具をドレン金物の排水筒に外嵌する際に受具上筒の外周が排水筒に沿って適宜拡径することができ、スペーサーとドレン金物のサイズの組み合わせに兼用可能となり、上記従来の課題を解消することができる。【００１０】  また、受具上筒の外周を波形としたことで、排水受具をドレン金物の排水筒から取り外した後に手で形を整えることで繰り返し使用な状態に容易に復元可能であり経済性においても有利となる。
【図面の簡単な説明】
【００１１】
【図１】本発明の排水受具の実施例を示す斜視図
【図２】本発明の排水受具の説明図
【図３】本発明の排水受具の実施例を構成した排水口用仮設排水装置を示す展開図
【図４】本発明の排水受具の他の実施例を示す斜視図
【図５】本発明の使用状態を説明する手順図
【図６】従来の排水受具を示す斜視図
【発明を実施するための形態】
【００１２】  本発明の実施の形態を図面により詳細に説明する。
図１は本発明の排水受具の実施例を示す斜視図である。
１０は排水受具で、１１はドレン金物の排水筒に外嵌する受具上筒であり、その外周には周長方向に緩やかな円弧が連続する波形状とする。
排水受具１０は合成樹脂製による薄肉形状とすることで、ドレン金物の排水筒に外嵌する際に排水筒の傾斜に沿って波形状が円弧上の直線となり周長が拡張され、外径を変えることができる。
１２は受具下筒であり、別体のホース部３０を外嵌して接続することができる。
排水受具１０は受具上筒１１と受部下筒１２によりジョウゴ状に合成樹脂により一体的に形成するが、排水受具１０の受具上筒１１の内径がドレン金物の排水筒の外径より大きく、外嵌することができればよいので、受具上筒１１及び受具下筒１２は共に同じ径の単純な筒形状でもよい。
【００１３】  図２は、排水受具１０の受具上筒１１の外周を波形状の拡径可能な形態としたことで、複数のドレン金物のサイズに対して兼用可能なことを説明した説明図であり、▲１▼の場合に適合する大きさの従来の排水受具の場合、▲２▼のドレン金物のサイズが大きく、排水筒の外径が受具上筒の内径とほぼ同じかやや大きい場合では飲み込みが浅くなり適合することにはならないが、本発明の排水受具であれば、排水筒の傾斜に沿って拡径するため、▲２▼の場合でも適合することができる。
【００１４】  図３は本発明の排水受具の実施例を構成した排水口用仮設排水装置を示す展開図であり、１０は前段で説明した排水受具であり、２０は固定金具、３０はホース部である。
固定金具２０は、水平材２１の両端にそれぞれ透孔２３、２３を設けた当接片２２、２２を設けると共に、ほぼ中央には上下に同軸となる透孔２４、２４を設けた支持片２５、２５を設け、それら透孔２４、２４には上端に回動自在の掛止片２８を設けた支持杆２９を貫通した状態で装着し、前記水平材２１に設けたねじ穴２６に螺着した締付けボルト２７を締め付けて、適宜高さで固定できるようにした。
【００１５】  固定金具２０は、排水受具１０の受具下筒１２の内側面に固定金具２０の当接片２２、２２が当接すると共に、該当接片２２、２２の透孔２３、２３と受具下筒１２に設けた透孔１３、１３を重ねた状態で樹脂プラグ１５、１５をそれぞれ圧入して組み付けて、排水具本体４０を構成するものである。
３０はホース部であり、長尺薄肉ジャバラ形状であり、排水受具１０の受具下筒１２に下方から外嵌して取り付けると共に、受具下筒１２の外周に設けた接合突起片１４、１４に係止することで抜けを防止している。
【００１６】  図４は本発明の排水受具の他の実施例を示す斜視図であり、受具上筒１１の外周に設けた周長方向に緩やかな円弧が連続する波形状に代えて、周長方向の複数箇所に内側に向かって起伏の急な波形状に折り込むと形態とすると共に、その上端面を受具上筒１１の中心に向かって下方に傾斜する傾斜面とした。
上端面に傾斜を設けることでドレン金物の排水筒に外嵌する際に、排水筒に傾斜を設けた上端面を押し付けることで起伏の急な波形状が拡径方向に移動してスムーズに外嵌することができる形態である。
【００１７】  次に本発明の使用方法を説明する。
図５は本発明の使用状態を説明する手順図である。
バルコニーＡに埋設したドレン金物Ｂの排水筒Ｃに向かって下方から本発明の排水具本体４０を取付けるが、その取付け方は、まず、固定金具２０の支持杆２９の上端に設けた掛止片２８を透孔がない側（回動軸を中心に重い側）を上方に向けた状態でドレン金物Ｂの排水筒Ｃを通過して解放された状態となったところで掛止片２８が自重で回転してドレン金物Ｂの排水受けツバ上面に掛止し、排水受具１０を支持杆２９に沿って上方に移動させ、排水筒Ｃに外嵌するまで押し上げる。
その際、排水受具１０の受具上筒１１の波形状が排水筒Ｂの傾斜するに沿って拡径しながら外嵌させる。
排水受具１０が排水筒Ｃに外嵌したことを確認して、締付けボルト２７を締め付けて固定する。
排水受具１０の受具下筒１２にホース部３０の一方を外嵌して、他方は足場Ｄの支柱に固定し、ドレン金物Ｂからつたわる雨水等を足場の外に排出することができる。
【符号の説明】
【００１８】  １０  排水受具
１１  受具上筒
１２  受具下筒
２０  固定金具
２１  水平材
２２  当接片
２３  透孔
２４  透孔
２５  支持片
２６  ねじ穴
２７  締付けボルト
２８  掛止片
２９  支持杆
３０  ホース部
４０  排水具本体
Ａ    バルコニー
Ｂ    ドレン金物
Ｃ    排水筒
Ｄ    スペーサー
Ｅ    足場枠
【図１】
2018059383.tif 000003
【図２】
2018059383.tif 000004
【図３】
2018059383.tif 000005
【図４】
2018059383.tif 000006
【図５】
2018059383.tif 000007
【図６】
2018059383.tif 000008